(57)【要約】      （修正有）【課題】書籍などの商品を簡便に包装する組立容器の原材料のコストを軽減すると共に、配送する書籍等の返品を防止できる配送用組立容器を提供する。【解決手段】配送する商品書籍束Ｘのサイズおよび冊数に合わせて方形に形成した平坦部３ａ、３ｂの周縁に少なくとも１以上の底折目４を介して鍔部５ａ、５ｂを一体に形成したダンボールからなる一対の第１カバー板２ａ、２ｂ又は第２カバー板１２ａ、１２ｂと、商品束Ｘのサイズおよび数量と外周径と高さを合わせてクラフト紙などを筒状に形成した保護筒部２２とからなり、カバー板２ｂ、１２ｂの平坦部３ｂに商品束Ｘを位置し、周面に保護筒部２２を被せ商品束Ｘの上面にカバー板２ａを被せて梱包し、カバー板２ａ、１２ａと、カバー２ｂ、１２ｂを結束バンドを用いて環回梱包する。【選択図】図２
0003199046.tif 000002
【実用新案登録請求の範囲】
【請求項１】
方形に組み合わせたせて形成した商品束（Ｘ）の上下に合致させる平坦部（３、１３）の周縁に底折目（４、１４）を介して外側に鍔部（５、１５）を一体に形成したダンボールなどの紙材からなる一対の第１カバー板（２ａ、２ｂ）又は第２カバー板（１２ａ、１２ｂ）と、
前記商品束（Ｘ）の外周径と高さに合わせたクラフト紙やライナー紙などの紙材の端部を接着して筒状に形成した保護筒部（２２）とからなり、
第１カバー（２ｂ）又は第２カバー（１２ｂ）の平坦部（３ｂ）又は（１３ｂ）に位置した前記商品束（Ｘ）の周面に保護筒部（２２）を被せ、該商品束（Ｘ）の上面に第１，２カバー板（２ａ、１２ａ）の平坦部（３ａ、１３ａ）を被せた一対のカバー板（２ａ、２ｂ）、（１２ａ、１２ｂ）及び保護筒部（２２）を結束バンド（３３）を用いて十字状に環回梱包してなることを特徴とする配送用組立容器。
【請求項２】
前記第２カバー板（１２ａ、１２ｂ）は、平坦部（１３ａ、１３ｂ）の周縁に設けた複数の底折目（１４）を介して左右方向に長尺鍔部（１５ｂ）と、左右方向に短尺鍔部（１５ａ）をそれぞれ一体に形成し、前記短尺鍔部（１５ａ）の両端を長手方向に延伸させた折曲帯部（１７）を前記底折目（４）の延長上に設けた折目（１６）を介して帯状に形成し、該折曲帯部下辺の任意個所に差込下切目（１８）をそれぞれ設け、前記長尺鍔部（１５ｂ）の両端で、前記短尺鍔部（１５ａ）と接する下辺に横切目（１９）を設けて前記短尺鍔部（１５ａ）と長尺鍔部（１５ｂ）を折曲可能に形成し、前記長尺鍔部（１５ｂ）の上辺の前記短尺帯片（１５ａ）に設けた差込下切目（１８）と合致する位置に差込上切目（２０）をそれぞれ設けてなることを特徴とする請求項１記載の配送用組立容器。
【請求項３】
前記第２カバー板（１２ａ，１２ｂ）の周縁に設けた短尺鍔部（１５ｂ）と長尺鍔部（１５ａ）に連結して設けた折曲帯部（１７）にそれぞれ設けた差込下切目（１８）および差込上切目（２０）の内端にそれぞれ切止部（１８ａ，２０ａ）を設けると共に、前記両切目の入口部に差し込みを容易にする差込口（１８ｂ、２０ｂ）をそれぞれ設けてなることを特徴とする請求項２記載の配送用組立容器。
【請求項４】
前記第１カバー板（２ａ、２ｂ）は、底折目（４）の各交差部に設けた切止部（６）と、第１カバー板（２ａ、２ｂ）の外周辺の交差部との間に切目線７を設け、各鍔部５を折り曲げて箱状に形成してなることを特徴とする請求項１記載の配送用組立容器。
【請求項５】
前記第１カバー板（２ａ、２ｂ）に設けた底折目（４）は、前記商品束（Ｘ）のサイズ及び数量に合わせて折曲可能な底折目を並行に設けてなることを特徴とする請求項１又は４記載の配送用組立容器。
【請求項６】
前記第１、２カバー板（２ａ、１２ａ）は、平坦部（３ａ、１３ａ）の任意個所に開閉可能な窓部（２３）を設けなることを特徴とする請求項１ないし４のいずれか１記載の配送用組立容器。
【請求項７】
第１，２カバー板（２ａ、１２ａ）の平坦部（３ａ、１３ａ）に設けた前記窓部（２３）は、方形であって一辺に折目（２４）、他の三辺にミシン目（２５）を設けて開閉部（２９）を形成し、該開閉部の任意個所に摘み部（２８）を設けてなることを特徴とする請求項６記載の配送用組立容器。
【請求項８】
前記第１、２カバー板（２ａ、１２ａ）の平坦部（３ａ、１３ａ）に、弱粘性接着剤を裏面に塗布した剥離可能な宛名ラベル（３０）を、貼着可能に設けてなることを特徴とする請求項１，２，４、６のいずれか１記載の配送用組立容器。
【請求項９】
前記宛名ラベル（３０）は、配送する商品束（Ｘ）の種類または名称、送り先、送り主および連絡先などを記載する表記欄（３１）を設けてなることを特徴とする請求項８記載の配送用組立容器。
【考案の詳細な説明】
【技術分野】
【０００１】
本考案は、例えば書籍など複数の商品を配送する際に、該商品に疵や汚れなどの不具合が生じるのを防ぎ、配送する商品を簡易に梱包して安価に配送するための組立容器の改良に関するものである。
【背景技術】
【０００２】
従来、印刷所で印刷されて製本された書籍、雑誌などの出版物の流通経路は、ダンボールを用いて梱包されてから所定の卸業者に配送される。卸業者に配送された書籍は、さらに小分けされた例えば書籍などを梱包した商品束を各小売店（本屋）に配送している。
【０００３】
小分けされた書籍束は、例えば１０冊または２０冊などの少数単位となり、外形が方形になるように形成した例えば複数の書籍などの商品束を、配送による汚れ防止と破損防止のため、それぞれ書籍の大きさに合わせたダンボール函などに梱包されて各小売店に配送される。しかし、卸業者が仕分けした例えば多数の書籍束をそれぞれ梱包するためには多数のダンボール函が必要となり、このダンボ―ル函は製函加工を行うためコストが高くなり、商品の搬送コストが高くなってしまう欠点があった。
【０００４】
小売店に配送される書籍を包装するダンボール容器は、配送による書籍の破損防止や汚れを防止するために改良された多くの包装容器が知られている（特許文献１、２）。さらに、包装容器を安価にするため、配送する書籍束の上下両面にダンボール紙５０を敷いてバンド３３で梱包するだけの簡易包装が行われている（図１７）。
【先行技術文献】
【特許文献】
【０００５】
【特許文献１】特開平２００９−１７３３２５号公報
【特許文献２】実用新案登録第３０７５０２６号公報
【０００６】
しかし、前者の特許文献１の発明は、底部を中心に縦シートと横シートを連設し、横シートに面バンド、縦シート締付バンドを備えた構造であるため、容器の構造が複雑であってコストが高くなり不経済であった。また、後者の特許文献２の考案は、一枚の紙板材を複雑に折り曲げて形成してあるため、消耗品である組立容器としては製造コストが高くなって不経済であった。さらに、図１７に示した簡易包装は、配送する書籍束の上下両面にダンボール板５０を敷いて、上下両端に位置する書籍の汚れを防止しているが、書籍の角部分や、側面、いわゆる、小口や天地部分は露出した状態になっている。そのため、配する際の積み込みや積み降ろしに、この露出部分である上下両端の角部分が破損し、小口または天地部分に汚れが付着して不具合が生じるという問題点を有していた。
【０００７】
したがって、配送中に汚れが付着して疵が付いた書籍などの商品は、そのまま小売店に配送されてしまう場合があった。この汚れや疵が付着して不具合な書籍は、不良品として返品の対象となり、出版社にとって返品の数が多くなると、売り上げにならないので大変不経済であった。
【考案の概要】
【考案が解決しようとする課題】
【０００８】
そこで、本考案は、各小売店に配送する書籍などの商品束の配送コストを下げるため、高価なダンボール函に収容せずに、例えば，未晒クラフト紙またはライナー紙などの強度のある紙材を筒状に形成して所定数積み重ねた書籍などの商品の外側を覆い、さらに、商品束の天地部分を例えば、ダンボールなどの厚紙材で形成した一対のカバー板で覆うことにより、ダンボール函を使用せずに安価で丈夫な組立容器を提供し、配送中に商品の外側の角部や側面、いわゆる、小口や天地部分が汚れるのを防止し、梱包コストの軽減化を図り、安価な配送用組立容器を提供することを課題とする。
【０００９】
さらに本考案に係る配送用組立容器は、ダンボール函を使用せずに構造を簡素化してコストを安価にし、不使用時には平坦状にして積み重ねておくことを可能にし、さらに、書籍の配送に限ることなく、日用品などの商品を梱包して安価な配送用組立容器としての使用範囲を広げることができる利点を有する。
【課題を解決するための手段】
【００１０】
上記課題を達成するために本考案は、梱包する商品のサイズ及び数量に合わせて方形に形成した商品束Ｘの上下に合致させる平坦部３、１３の周縁に底折目４、１４を介して外側に鍔部５、１５を一体に形成したダンボールなどの紙材からなる一対の第１カバー板２ａ、２ｂ又は第２カバー板１２ａ、１２ｂと、前記商品束Ｘの外周径と高さに合わせてクラフト紙やライナー紙などの紙材の端部を接着して筒状に形成した保護筒部２２とからなり、前記第１カバー２ｂ又は第２カバー１２ｂの平坦部３ｂ又は１３ｂに位置した前記商品束Ｘの周面に保護筒部２２を被せ、該商品束Ｘの上面にカバー板２ａ、１２ａの平坦部３ａ、１３ａを被せた一対のカバー板２ａ、２ｂ又は１２ａ、１２ｂ及び保護筒部２２を、結束バンド３３を用いて十字状に環回梱包してなることを特徴とする。また、前記第２カバー板１２ａ、１２ｂは、平坦部１３ａ、１３ｂの周縁に設けた複数の底折目１４を介して左右方向に長尺鍔部１５ｂと、左右方向に短尺鍔部１５ａをそれぞれ一体に形成し、前記短尺鍔部１５ａの両端を長手方向に延伸させた折曲帯部１７を前記底折目４の延長上に設けた折目１６を介して帯状に形成し、該折曲帯部下辺の任意個所に差込下切目１８をそれぞれ設け、前記長尺鍔部１５ｂの両端で、前記短尺鍔部１５ａと接する下辺に横切目１９を設けて前記短尺鍔部１５ａと長尺鍔部１５ｂを折曲可能に形成し、前記長尺鍔部１５ｂの上辺の前記短尺帯片１５ａに設けた差込下切目１８と合致する位置に差込上切目２０をそれぞれ設けてなることを特徴とする。さらに、前記第２カバー板１２ａ，１２ｂの周縁に設けた短尺鍔部１５ｂと長尺鍔部１５ａに連結して設けた折曲帯部１７にそれぞれ設けた差込下切目１８および差込上切目２０の内端にそれぞれ切止部１８ａ，２０ａを設けると共に、前記両切目の入口部に差し込みを容易にする差込口１８ｂ、２０ｂをそれぞれ設けてなることを特徴とする。さらにまた、前記第１カバー板２ａ、２ｂは、底折目４の各交差部に設けた切止部６と、第１カバー板２ａ、２ｂの外周辺の交差部との間に切目線７を設けて各鍔部５を折り曲げて箱状に形成してなることを特徴とする。また、前記第１カバー板２ａ、２ｂに設けた底折目４は、前記商品束Ｘのサイズ及び数量に合わせて折曲可能な底折目を並行に設けてなることを特徴とする。さらに、前記第１、２カバー板ａ、１２ａは、平坦部３ａ、１３ａの任意個所に開閉可能な窓部２３を設けなることを特徴とする。さらにまた、第１，２カバー板２ａ、１２ａの平坦部３ａ、１３ａに設けた前記窓部２３は、方形であって一辺に折目２４、他の三辺にミシン目２５を設けて開閉部２９を形成し、該開閉部の任意個所に摘み部２８を設けてなることを特徴とする。また、前記第１、２カバー板２ａ、１２ａの平坦部３ａ、１３ａに、弱粘性接着剤を裏面に塗布した剥離可能な宛名ラベル３０を、貼着可能に設けてなることを特徴とする。さらに、前記宛名ラベル３０は、配送する商品束Ｘの種類または名称、送り先、送り主および連絡先などを記載する表記欄３１を設けてなることを特徴とする。
【００１１】
したがって、本考案の組立容器１は、ダンボールなどの紙材で形成した一対のカバー板２ａ、２ｂ又は１２ａ、１２ｂと丈夫なクラフト紙やライナー紙で形成した保護筒部２２とで商品束Ｘを梱包することにより、例えば、安価なダンボール紙や未晒クラフト紙又はライナー紙などの紙材を用いて、高価なダンボール函を使用せずに、組立容器１の軽量化とコストの軽減が図ることができて経済的である。また、組立容器１で商品束Ｘの全体を覆うことにより、配送による商品束Ｘの破損や汚れを防止できる。さらに、組立容器１の第１、２カバー板２ａ、１２ａに窓部２３を設けることにより、配送する商品束Ｘの中身を容易に確認でき、また、第１，２カバー板２ａ、１２ａに、配送する商品束Ｘの種類または名称、送り先、送り主及び連絡先などを記載した宛名ラベル３０を貼着することにより商品束Ｘの誤配送を防止することができる。
【図面の簡単な説明】
【００１２】
【図１】本考案に係る組立容器で商品束を梱包した状態の斜視図である。
【図２】商品束を組立容器で梱包する状態を示す分解斜視図である。
【図３】図１の中央縦断面図である。
【図４】方形に折り曲げた保護筒部の平面図である。
【図５】展開した第１カバー板の平面図である。
【図６】組み立てた第２カバー板の斜視図である。
【図７】第２カバー板の展開図である。
【図８】第２カバー板の長尺鍔部に短尺鍔部の折曲帯部を差し込む状態の要部拡大図である。
【図９】第２カバー板の長尺鍔部の折曲帯部目及び短尺鍔部にそれぞれ設けた切目を示した要部拡大図である。
【図１０】窓部を第１カバー板の平坦部に設けた平面図である。
【図１１】図１０に示す窓部の拡大平面図である。
【図１２】窓部を第２カバー板の平坦部に設けた平面図である。
【図１３】宛名ラベルを第１カバー板の平坦部に取付けた状態の平面図である。
【図１４】通常のダンボールの断面図である。
【図１５】一方のライナー板を省略したダングリ（片面ダンボール）の断面図である。
【図１６】Ｗダンボールの断面図である。
【図１７】従来の簡易包装で商品束をバンドで結束した状態を示す斜視図である。
【考案を実施するための形態】
【００１３】
本考案の実施の形態を図面に基づいて説明すると、図１は本考案に係る組立容器で書籍などの商品束を梱包した状態の斜視図、図２は組立容器で商品束を梱包する状態を示す分解斜視図、図３は第１図の中央縦断面図、図４は方形に折り曲げた保護筒部の平面図、図５は第１カバー板の展開図、図６は組み立てた第２カバー板の斜視図、図７は第２カバー板の展開図、図８は第２カバー板の長尺鍔部に短尺鍔部を差し込む状態を示す要部拡大図、第９図は第２カバー板の長尺鍔部の折曲帯部及び短尺鍔部に夫々設けた切目を示す要部拡大図である。
【００１４】
本考案の組立容器１は、紙材で形成した一対の第１カバー板２（２ａ、２ｂ）または第２カバー板１２（１２ａ、１２ｂ）と、紙材で形成した保護筒部２２とで構成され、前記第１カバー板２ｂ（底板）の平坦部３ｂ上に書籍などの商品束Ｘを位置させ、商品束Ｘの周面に保護筒部２２を上方から被せた後、商品束Ｘの上面に第１カバー板２ａ（蓋板）を被せて梱包し、商品束Ｘの上下に位置させた第１カバー板２ａ、２ｂを結束バンド３３を用いて十字状に環回させて梱包してある。
【００１５】
小売店（書店）に配送される書籍などは、種類によって本の大きさや厚さが相違するが、例えば、通常１０〜２０冊を一束にして配送され、書籍などの商品束Ｘは、大きく分けて小中学校で使用する教科書サイズであるＡ５判、単行本などの一般書籍であるＢ６判、週刊誌などのＢ５判、または文庫本などのＡ６判、さらには新書などのＢ４０判のごとく多種多様であることから、組立容器１は、基本的なサイズ（数が多く出る書籍）に合わせて複数種類の容器をあらかじめ用意してある。
【００１６】
ここで、一般のダンボール３５は、古紙で波形状に形成した中芯厚紙３６の上下にライナー紙３７，３７を接着して丈夫に形成してある。また、他のダンボールの例として、極めて安価な製品である片面ダンボール３８、即ちダングリを使用してもよい。この片面ダンボール（ダングリ）３８は、極めて安価な製品の紙材を製造することもできる。このダングルを内面に使用する、即ち保護筒部２２として使用すると、クッション性は他には見られないほど良好である。このダングりは、幅や高さが相違する種々の製品があり、湾曲させやすい機能を有している。
【００１７】
第１５図に示すように、ダンボールを二重にした両面ダングル、即ち、両面ダンボール３９は、ダンボールライナー紙というコスト的には一番安価であるが、未晒クラフトより強度が少々不足しているため、１ｍ２当たりのｇ数を増さなければならない。即ち、紙厚を厚くしなければならないが、１ｇｍ２当たりの単価が安価なため、コスト的に合うように製造することができる。
【００１８】
前記組立容器１に使用する第１、２カバー板を構成するダンボール３５などの紙材は公知であり、ダンボールを例えば書籍を束ねた商品束Ｘのサイズに合わせたものを使用する。ダンボールは、古紙やクラフトパルプなどの原材料を波形に形成した中芯厚紙の上下両面に平坦な紙材のライナー紙を接着して強度性を持たせて厚さ３〜５ｍｍに形成したものを使用する。
【００１９】
前記第１カバー板２ａ、２ｂまたは第２カバー板１２ａ、１２ｂは、それぞれ同形に形成した底板と蓋板の一組からなり、図２に示すごとく、中央に書籍などの商品束Ｘを位置させる平坦部３ｂ、１３ｂを方形に形成し、該平坦部の周縁に底折目４、１４を介して外側に鍔部５ａ，５ｂまた１５ａ、１５ｂをそれぞれ一体に形成してある。
【００２０】
図５に示した第１カバー板２ａ、２ｂの鍔部５は、平坦部３の周縁に設けた底折目４の各交差部に設けた紙材の切り裂きを防ぐ切止部６から各周縁角隅部との間に対角線上に斜めの切込線７を設け、四辺の鍔部５を折り曲げて浅い箱状の第１カバー板２ａ、２ｂを形成してある。
【００２１】
前記第１カバー板２ａ，２ｂに設けた底折目４は、必要に応じてそれぞれ並行に複数本設け、書籍などの商品束Ｘが、同じサイズの書籍であっても出版社によって微妙にサイズが相違することから、このサイズの相違を複数本の底折目４を設けてサイズ相違を吸収することができるようにしてもよい。この場合、どこの出版社の書籍でも梱包することが可能である。
【００２２】
保護筒部２２は、図４に示すごとく、ダンボールではなく、例えば繊維が長く軽くて丈夫なクラフト紙やライナー紙、好ましくは、未晒クラフト紙を使用し、該未晒クラフト紙を商品束Ｘ、例えば書籍束の高さや周縁径に合わせて部材の端部を接着して筒状に形成し、商品束Ｘの高さに合わせた寸法の保護筒部２２を用いる。保護筒部２２は、筒部の径または高さの寸法の異なるものを複数種類用意しておき、所望寸法のものを使用すればよい。
【００２３】
前記第１カバー体２（２ａ，２ｂ）の他の実施例である第２カバー板１２（１２ａ，１２ｂ）は、図６、７に示すごとく、平坦部１３（１３ａ，１３ｂ）の周縁に設けた底折目１４を介して上下方向に短尺鍔部１５ａ、１５ａ、また、左右方向に長尺鍔部１５ｂ、１５ｂをそれぞれ一体に形成し、前記短尺鍔部１５ａは長手方向の両端をそれぞれ帯状に形成した折曲帯部１７を延伸させて一体に形成し、該折曲帯部の中間で前記長尺鍔部１５ｂの底折目１４の左右の延長線上に折目１６をそれぞれ設けてある。
【００２４】
折曲帯部１７は、下辺の任意個所に差込下切目１８を中間部分にまで切り込んで形成し、前記長尺鍔部１５ｂの上辺に設けた差込上切目２０と嵌め合い可能に形成してある。長尺鍔部１５ｂは、前記短尺鍔部１５ａと接する両端辺に横切目１９を設けて短尺鍔部１５ａと長尺鍔部１５ｂをそれぞれ折曲可能に形成し、該長尺鍔部の上辺に前記短尺帯片１５ａに設けた差込下切目１８と合致する位置に差込上切目２０を設けてある。第２カバー板１２ａ、１２ｂは同形であって、蓋板、底板のいずれにも使用することができる。
【００２５】
第２カバー体１２ａ，１２ｂの組立は、短尺鍔部１５ａ及び長尺鍔部１５ｂを底折目１４、１４から折り曲げ、次いで、短尺鍔部１５ａの横折目１６から折曲帯部１７を内側方向に折り曲げると共に、差込下切目１８を前記長尺鍔部１５ｂの上辺に設けた差込上切目２０に嵌め合わせて連結する（図８）ことにより、接着剤を使用することなく箱型の第２カバー体１２ａ、１２ｂを形成することができる（図６）。
【００２６】
組立容器１による書籍などの商品束Ｘの梱包は、第１、２カバー板２ｂ、１２ｂの平坦部３ｂ、１３ｂに商品束Ｘを位置させ、該書籍束の上方から保護筒部２２を被せて周面全体を覆うと共に、保護筒部２２の下端を第１、２カバー板２ｂまたは１２ｂの鍔部５ｂ、１５ｂの内側に差し込み、商品束Ｘの上面にカバー板２ａの平坦部３ａを被せると共に、保護筒部２２の上端縁を鍔部５ａの内側に差し込む。保護筒部２２の上下両端を鍔部５、１５の内側に差し込んで固定し、搬送中に保護筒部２２が捲れたり、破れを防止している。
【００２７】
商品束Ｘの上下を第１、２カバー板で覆い、また、その周面を保護筒部２２で覆った組立容器１の外側を、結束バンド３３で例えば十字状に結束する。前記結束バンド３３は、熱可塑性の合成樹脂材により形成した幅１０〜１６ｍｍの帯状に形成したバンドで、商品束Ｘに十字状に環回させた結束バンド３３の両端で重合した部分を結束機で加熱溶着して結束する。
【００２８】
組立容器１は、図１に示すごとく、上下のカバー板２ａ、２ｂ又は１２ａ、１２ｂを、前記結束バンド３３を用いてクロス状、即ち十字状に交差させて結束することにより、コストアップすることなく商品束Ｘ全体をあたかも通常のダンボール函内に収納したのと略同じように梱包することができる。
【００２９】
図９において、第２カバー板１２ａの短尺鍔部１５ａの両端に折目１６を介してそれぞれ設けた折曲帯部１７に差込切目１８を形成し、該差込切目の内端には切り裂きを防止する切止部１８ａ及び入口部分には差し込みを容易にする差込部１８ｂを設けてある。また、短尺鍔部１５ｂに形成した差込上切目２０の内端には、切止部２０ａ及び入口部には差込口２０ｂを形成してある。各切目の内端に小さな円刑をしたストッパー、即ち切止部１８ａ、２０ａをそれぞれ設けることにより、各切目の内端から切り裂きが生じるのを防止している。
【００３０】
また、各切目の入口部分の差込口1８ｂ，２０ｂが狭いと、各切目の互いの差し込みが困難なため、各切目の入口部分を拡径状の差込口を設けて差し込みを容易にし、第２カバー板の組み立てを容易にしている。尚、この差込口は円形に限らず、Ｖ形溝に形成して進入しやすくしてもよい。
【００３１】
前記組立容器１は、第１カバー板２または第２カバー板１２と保護筒部２２とで書籍などの商品束Ｘの全体を覆ってしまうため、一度梱包すると商品である書籍の名前や種類が外部から判らなくなる。そこで、図１０、１２に示すように、第１カバー板２ａまたは第２カバー板１２ａの平坦部３ａ、１３ａに開閉可能な窓部２３を設けて梱包した商品束の送付先を確認して誤配送を防止することができる。
【００３２】
前記窓部２３は、図１１に示すごとく、第１カバー板２ａ，第２カバー板１２ａの平坦部３ａ、１３ａの所望位置に設けてあり、一辺に折目２４、他の３辺にはミシン目２５を設け、該ミシン目と折目２４が交差する点に切止部２６を設けて、ミシン目を切り開いて開閉可能な開閉部２９を形成してある。折目２４から前記開閉部２９を開閉するつまみ部２８は、ミシン目２５とミシン目２５が交差部分の対角線上に折目２７を介して三角形状に設けてもよく、また、図１２に示すごとく、ミシン目２５の一辺中央につまみ部２８を設けてもよい。
【００３３】
前記組立容器１は、図１３に示すごとく、弱粘性接着剤を裏面に塗布して剥離可能に形成したな宛名ラベル３０を第１カバー板２ａの平坦部３ａの任意個所に貼着可能にすることもできる。前記宛名ラベル３０は、例えば書籍束である商品束Ｘの種類または名称、送り先、送り主及び連絡先などを記載する表記欄３１を設けたことにより、梱包した書籍を一目で確認でき、誤配送を防止することができる。
【００３４】
以下、本考案の実施の形態の作用について説明すると、配送用の組立容器１は、一対の第１カバー板２ａ、２ｂまたは第２カバー板１２ａ、１２ｂと保護筒部２２とからなり、商品束Ｘのサイズに合わせて複数種類の組立容器を用意してある。
【００３５】
第１カバー板２ａ、２ｂは、あらかじめ梱包する書籍束Ｘの長さと幅に合わせて形成した平坦部３の周縁に設けた複数の底折目４から書籍束Ｘの幅と長さに合ういずれかの底折目から折り曲げて鍔部５を立ち上げて箱状に形成する。
【００３６】
また、第２カバー板１２の組立は、それぞれ短尺鍔部１５ａと、長尺鍔部１５ｄを底折目１４、１４からそれぞれ垂直方向に折り曲げて、次いで、短尺鍔部１５ａの折曲帯部１６を横折目１７から内側方向に折り曲げると共に、該折曲帯部の下辺に設けた差込下切目１８を前記長尺鍔部１５ｂの上辺に設けた差込上切目２０に差し込み連結して箱型に形成する。
【００３７】
したがって、この第２カバー板１２は、接着剤を使用することなく箱型に形成できるので、商品束Ｘの平坦部３，１３への収容が容易となり、さらに、鍔部１５の角隅部附近を二重に形成したことにより第２カバー板の鍔部の強度を高めることができる。
【００３８】
保護筒部２２を構成するクラフト紙やライナー紙などの紙材は、商品束Ｘである例えば書籍束のサイズ（高さと外周径）に合わせて端部を互いに接着して筒状に形成した保護筒部を使用することにより、梱包する際、書籍束Ｘの上方から被せて挿通するだけで周面部分を簡単に梱包できる。
【００３９】
例えば書籍などの商品束Ｘの梱包は、第１カバー板２ｂまたは第２カバー板１２ｂの平坦部３ｂ、１３ｂに位置させ、商品束の上方から保護筒部２２を被せて周面全体を覆うと共に、該保護筒部の下端を第１、２カバー板２ｂ、１２ｂの鍔部５ｂ、１５ｂの内側に差し込み、商品束Ｘの上面に第１カバー板２ａ又は第２カバー板１２ａの平坦部３ａ、１３ａを被せると共に、保護筒部２２の上端縁を鍔部５ａ、１５ａの内側に差し込んで装着する。保護筒部２２の上下両端を鍔部５、１５の内側に差し込んで留めることにより、搬送中の衝撃で保護筒部２２が捲れ、破れるのを防止することができる。
【００４０】
商品束Ｘの外側を梱包した組立容器１は、周囲を結束バンド３３でクロス状や十字状に環回し、該バンドの重合部分を加熱溶着して結束するので、商品束Ｘは、通常のダンボール函に収納したのと略同じように梱包することができる。この梱包に使用する結束バンド３３は、前記のように幅１０〜１６ｍｍの合成樹脂材で成形してあり、公知の結束機を用いて結束する。
【００４１】
前記した組立容器１は、高価なダンボール函を使用せず、クラフト紙などの安価な紙材で筒状に形成した保護筒部２２で商品束Ｘの外周面を被うことにより、組立容器のコストを軽減すると共に容器の軽量化を図ることができて大変経済的である。
【００４２】
保護筒部２２は、前記したごとく、未晒クラフト紙の端部を接着して筒状に形成して書籍などの商品束Ｘの外側を覆うことにより、搬送中に外側からの衝撃などから内部に位置する書籍などの商品束Ｘが破損するのを防止できる。また、書籍などの商品束Ｘの周面には搬送中に汚れや埃が付着するのを防止し、疵、汚れの付着などによる不良品の発生を防止して商品束の返品による歩留りを向上させることができる。
【００４３】
前記した梱包材料の他に、梱包する商品、商品の強度、水濡れ、油汚れや、予算などの変更に対して紙材を変更することができる。下記のａ〜ｈの加工紙は梱包材料、特に、保護筒部にも使用することができる。
ａ、水分に対して撥水加工した耐水紙。
ｂ、脂分に対して対油加工した耐油紙。
ｃ、ポリプロピレンラミネート加工紙。
ｄ、ポリエチレンラミネート加工紙。
ｅ、レジャシートのベースが紙の場合に、紙をベースにして糸や化成品のヒモサンドイッチにした加工紙。
ｆ、ダンボールの一種で片面ダンボール（ダングリ）といわれる紙材。
ｇ、ダンボールの一種で両面ダンボール（両面ダングリ）といわれる紙材。
【００４４】
組立容器１で配送する商品束Ｘの外側全体を包装するため、商品束Ｘの中身が判らなくなるのを防止するために、組立容器１の第１、２カバー板２ａ、１２ａの平坦部２ａ、１２ａに窓部２３を設け、該窓部の開閉部２９に設けたつまみ部２８で開閉して商品を容易に確認して、商品の誤配送を防止又は４できる。  
【００４５】
さらに、前記カバー板２の表面に、商品束Ｘ、例えば、書籍束の種類または名称、送り先、送り主及び連絡先などを記載する表記欄３１を有した宛名ラベル３０を貼着することにより、梱包した商品の商品束Ｘの誤配送を防止することができる。
【符号の説明】
【００４６】
１              組立容器  
２ａ，２ｂ      第１カバー板
３ａ，３ｂ      平坦部
４              底折目
５              鍔部
６              切止部
７              切込線
１２ａ，１２ｂ  第２カバー板
１３ａ，１３ｂ  平坦部
１４            底折目
１５ａ          短尺鍔部
１５ｂ          長尺鍔部
１６            折目
１７            折曲帯部
１８            差込下切目
１８ａ          切止部
１８ｂ          差込口
１９            横切込目
２０            差込上切目
２０ａ          切止部
２０ｂ          差込口
２２            保護筒部
２３            窓部
２４            折目
２５            ミシン目
２６            切止部
２７            折目
２８            摘み部
２９            開閉部
３０            宛名ラベル
３１            表記欄
３３            バンド
Ｘ              商品束
【図１】
0003199046.tif 000003
【図２】
0003199046.tif 000004
【図３】
0003199046.tif 000005
【図４】
0003199046.tif 000006
【図５】
0003199046.tif 000007
【図６】
0003199046.tif 000008
【図７】
0003199046.tif 000009
【図８】
0003199046.tif 000010
【図９】
0003199046.tif 000011
【図１０】
0003199046.tif 000012
【図１１】
0003199046.tif 000013
【図１２】
0003199046.tif 000014
【図１３】
0003199046.tif 000015
【図１４】
0003199046.tif 000016
【図１５】
0003199046.tif 000017
【図１６】
0003199046.tif 000018
【図１７】
0003199046.tif 000019
【手続補正書】
【提出日】平成27年6月3日(2015.6.3)
【手続補正１】
【補正対象書類名】実用新案登録請求の範囲
【補正対象項目名】全文
【補正方法】変更
【補正の内容】
【実用新案登録請求の範囲】
【請求項１】
方形に組み合わせたせて形成した商品束（Ｘ）の上下に合致させる平坦部（３、１３）の周縁に底折目（４、１４）を介して外側に鍔部（５、１５）を一体に形成したダンボールなどの紙材からなる一対の第１カバー板（２ａ、２ｂ）又は第２カバー板（１２ａ、１２ｂ）と、
前記商品束（Ｘ）の外周径と高さに合わせたクラフト紙やライナー紙などの紙材の端部を接着して筒状に形成した保護筒部（２２）とからなり、
第１カバー（２ｂ）又は第２カバー（１２ｂ）の平坦部（３ｂ）又は（１３ｂ）に位置した前記商品束（Ｘ）の周面に保護筒部（２２）を被せ、該商品束（Ｘ）の上面に第１，２カバー板（２ａ、１２ａ）の平坦部（３ａ、１３ａ）を被せた一対のカバー板（２ａ、２ｂ）、（１２ａ、１２ｂ）及び保護筒部（２２）を結束バンド（３３）を用いて十字状に環回梱包してなることを特徴とする配送用組立容器。
【請求項２】
前記第２カバー板（１２ａ、１２ｂ）は、平坦部（１３ａ、１３ｂ）の周縁に設けた複数の底折目（１４）を介して左右方向に長尺鍔部（１５ｂ）と、左右方向に短尺鍔部（１５ａ）をそれぞれ一体に形成し、前記短尺鍔部（１５ａ）の両端を長手方向に延伸させた折曲帯部（１７）を前記底折目（４）の延長上に設けた折目（１６）を介して帯状に形成し、該折曲帯部下辺の任意個所に差込下切目（１８）をそれぞれ設け、前記長尺鍔部（１５ｂ）の両端で、前記短尺鍔部（１５ａ）と接する下辺に横切目（１９）を設けて前記短尺鍔部（１５ａ）と長尺鍔部（１５ｂ）を折曲可能に形成し、前記長尺鍔部（１５ｂ）の上辺の前記短尺鍔部（１５ａ）に設けた差込下切目（１８）と合致する位置に差込上切目（２０）をそれぞれ設けてなることを特徴とする請求項１記載の配送用組立容器。
【請求項３】
前記第２カバー板（１２ａ，１２ｂ）の周縁に設けた短尺鍔部（１５ａ）と長尺鍔部（１５ｂ）に連結して設けた折曲帯部（１７）にそれぞれ設けた差込下切目（１８）および差込上切目（２０）の内端にそれぞれ切止部（１８ａ，２０ａ）を設けると共に、前記両切目の入口部に差し込みを容易にする差込口（１８ｂ、２０ｂ）をそれぞれ設けてなることを特徴とする請求項２記載の配送用組立容器。
【請求項４】
前記第１カバー板（２ａ、２ｂ）は、底折目（４）の各交差部に設けた切止部（６）と、第１カバー板（２ａ、２ｂ）の外周辺の交差部との間に切目線７を設け、各鍔部５を折り曲げて箱状に形成してなることを特徴とする請求項１記載の配送用組立容器。
【請求項５】
前記第１カバー板（２ａ、２ｂ）に設けた底折目（４）は、前記商品束（Ｘ）のサイズ及び数量に合わせて折曲可能な底折目を並行に設けてなることを特徴とする請求項１又は４記載の配送用組立容器。
【請求項６】
前記第１、２カバー板（２ａ、１２ａ）は、平坦部（３ａ、１３ａ）の任意個所に開閉可能な窓部（２３）を設けなることを特徴とする請求項１ないし４のいずれか１記載の配送用組立容器。
【請求項７】
第１，２カバー板（２ａ、１２ａ）の平坦部（３ａ、１３ａ）に設けた前記窓部（２３）は、方形であって一辺に折目（２４）、他の三辺にミシン目（２５）を設けて開閉部（２９）を形成し、該開閉部の任意個所に摘み部（２８）を設けてなることを特徴とする請求項６記載の配送用組立容器。
【請求項８】
前記第１、２カバー板（２ａ、１２ａ）の平坦部（３ａ、１３ａ）に、弱粘性接着剤を裏面に塗布した剥離可能な宛名ラベル（３０）を、貼着可能に設けてなることを特徴とする請求項１，２，４、６のいずれか１記載の配送用組立容器。
【請求項９】
前記宛名ラベル（３０）は、配送する商品束（Ｘ）の種類または名称、送り先、送り主および連絡先などを記載する表記欄（３１）を設けてなることを特徴とする請求項８記載の配送用組立容器。
以上